(57)【要約】【課題】手を固定しながら、切開した傷を開いた状態に維持する開創片を備えた固定具を提供する。【解決手段】本実施形態に係る固定具１は、手のひらまたは手の甲を載置する載置部と、載置部から伸長した、載置部に載置された手の指を固定する指固定片と、載置部から伸長した、載置部に載置された手首を固定する手首固定部と、載置部に形成された、切開部位を開いた状態に保持する２本の棒状の開創片とを有し、載置部、指固定片、手首固定部、及び開創片は、金属により平板状に形成され、金属は、手で曲げられる程度の硬さである。【選択図】図１
2019111041.tif 000002
【特許請求の範囲】
【請求項１】
手のひらまたは手の甲を載置する載置部と、
前記載置部から伸長した、前記載置部に載置された手の指を固定する指固定片と、
前記載置部から伸長した、前記載置部に載置された手の手首を固定する手首固定部と、
前記載置部から伸張した、切開部位を開いた状態に保持する２本の棒状の開創片と
を有し、
前記載置部、前記指固定片、前記手首固定部、及び前記開創片は、金属により平板状に形成され、
前記金属は、手で曲げられる程度の硬さである
固定具。
【請求項２】
前記金属は、９９ｗｔ％以上の錫合金である
請求項１に記載の固定具。
【請求項３】
前記開創片の先端は、前記開創片の付け根部分の厚さよりも薄い
請求項１に記載の固定具。
【請求項４】
前記載置部、前記指固定片、前記手首固定部、及び前記開創片は、前記金属により、同じ厚さで一体的に形成されており、
前記指固定片は、前記載置部の外縁から伸長した５本の金属片であり、
前記各指固定片の長さは、人の手の各指の長さに対応している
請求項１に記載の固定具。
【請求項５】
前記開創片は、前記載置部の外縁から伸長した２本の金属片であり、
前記開創片の付け根部分の厚さは、前記指固定片の厚さよりも厚い
請求項１に記載の固定具。
【請求項６】
前記固定具の一方の面は、１．５ｍｍ以上の凹凸を有し、前記固定具の他方の面は、０．５ｍｍ以下の凹凸を有し、
前記載置部は、１．５ｍｍ以上の凹凸を有する面に手のひらまたは手の甲を載置する
請求項１に記載の固定具。
【発明の詳細な説明】
【技術分野】
【０００１】
本発明は、固定具に関するものである。
【背景技術】
【０００２】
例えば、特許文献１には、純度９７．００ｗｔ％〜９９．９９ｗｔ％の錫で形成したことを特徴とする医療器具が開示されている。
【先行技術文献】
【特許文献】
【０００３】
【特許文献１】特開２０１３−９０８５６号公報
【発明の概要】
【発明が解決しようとする課題】
【０００４】
本発明は、手を固定しながら、切開した傷を開いた状態で維持する開創片を備えた固定具を提供することを目的とする。
【課題を解決するための手段】
【０００５】
本発明に係る固定具は、手のひらまたは手の甲を載置する載置部と、前記載置部から伸長した、前記載置部に載置された手の指を固定する指固定片と、前記載置部から伸長した、前記載置部に載置された手の手首を固定する手首固定部と、前記載置部から伸張した、切開部位を開いた状態に保持する２本の棒状の開創片とを有し、前記載置部、前記指固定片、前記手首固定部、及び前記開創片は、金属により平板状に形成され、前記金属は、手で曲げられる程度の硬さである。
【０００６】
好適には、前記金属は、９９ｗｔ％以上の錫合金である。
【０００７】
好適には、前記開創片の先端は、前記開創片の付け根部分の厚さよりも薄い。
【０００８】
好適には、前記載置部、前記指固定片、前記手首固定部、及び前記開創片は、前記金属により、同じ厚さで一体的に形成されており、前記指固定片は、前記載置部の外縁から伸長した５本の金属片であり、前記各指固定片の長さは、人の手の各指の長さに対応している。
【０００９】
好適には、前記開創片は、前記載置部の外縁から伸長した２本の金属片であり、前記開創片の付け根部分の厚さは、前記指固定片の厚さよりも厚い。
【００１０】
好適には、前記固定具の一方の面は、１．５ｍｍ以上の凹凸を有し、前記固定具の他方の面は、０．５ｍｍ以下の凹凸を有し、前記載置部は、１．５ｍｍ以上の凹凸を有する面に手のひらまたは手の甲を載置する
【発明の効果】
【００１１】
本発明によれば、手を固定しながら、切開した傷を開いた状態に維持することができる。
【図面の簡単な説明】
【００１２】
【図１】本実施例における固定具１の構成を説明する平面図である。
【図２】固定具１の使用例である。
【図３】（ａ）開創片４０が板状である場合の曲げについて説明する図であり、（ｂ）は、開創片４０が棒状である場合の曲げについて説明する図である。
【図４】（ａ）は、本実施例における固定具１の斜視図であり、（ｂ）は、Ａ部分を拡大した側面図である。
【図５】変形例における固定具１を例示する図である。
【発明を実施するための形態】
【００１３】
以下、本発明に係る実施形態の構成を、図面を参照して説明する。ただし、本発明の範囲は、図示例に限定されるものではない。また、本実施形態では、説明の便宜上、左手用の固定具について説明するが、左手用と右手用は略左右対称であり、右手用においても、左手用と同様の構成を採用することができるものとする。
【００１４】
まず、本実施形態に係る背景と概要とを説明する。
従来、手を治療するために手を固定する固定具が存在する。しかしながら、開創器を兼ね備えるものはなく、手を手術する際、手を固定具に固定し、切開した傷を開いた状態に維持しておくための器具がさらに必要であった。また、既存の手の固定具は、固定具の一方の面を右手用、他方の面を左手用として使用しており、一つの固定具を左右兼用としているため、固定具を表裏の両面側に曲げるため、使用回数を重ねると曲げを繰り返していた部分が折れる虞があった。
【００１５】
そこで、本実施形態に係る固定具１は、手を固定する固定具に、術野を確保しておくための開創器を備えることで、傷を開いた状態に維持するための、器具または助手を必要とすることなく、執刀医１人で手術を可能にし、さらに、固定具１を片面使用とすることにより、固定具１の耐久性を高めるものである。
【００１６】
図１は、本実施例における固定具１の構成を説明する平面図である。
図１に例示するように、固定具１は、人の手の形状を模しており、人の手を固定し、手術または処置をするための処置台である。固定具１は、載置部１０、手首固定部２０、指固定片３０、及び開創片４０により構成されている。固定具１は、載置部１０、手首固定部２０、指固定片３０、及び開創片４０が同じ厚みで一体的に平板状に形成されている。また、固定具１は、手で曲げられる程度の硬さを備える金属材料により構成されている。具体的には、金属材料は、９９ｗｔ％以上の錫合金により構成されている。錫で形成されているため、固定具１は、抗菌・滅菌作用を有する。また、固定具１は、９９ｗｔ％以上である高純度の錫と、０．１％ｗｔ以下の銀とを含む合金により構成されていてもよい。銀を含有させることにより、固定具１の硬さを調節することができる。固定具１は、錫製であるため、使用後の滅菌の際に、オートクレーブを使用しても既存の鉛製の固定具に比べ変色しにくい。
【００１７】
図２は、固定具１の使用例を表す図である。
(載置部１０)
図２に例示するように、載置部１０は、手のひらまたは手の甲を載置する部分であり、本例では、載置部１０に手の甲を接触させるものとする。
(手首固定部２０)
手首固定部２０は、載置部１０から左右に伸張した帯状の形状であり、載置部１０に載置された手の手首を固定する。具体的には、手首固定部２０は、載置部１０に載せた手の手首に向けて帯状の両端を折り曲げ、固定具１に対する手首の位置を固定する。図１に例示する手首固定部２０の寸法は、縦Ｈは７ｃｍ、横Ｗａは約２５ｃｍである。
【００１８】
（指固定片３０）
指固定片３０は、載置部１０から伸長し、載置部１０に載置された手の指を固定する。具体的には、指固定片３０は、載置部１０の外縁から伸長した５本の金属片であり、各指固定片の長さは、人の手の各指の長さに対応している。具体的には、各指固定片３０の長さは、人の手の各指よりも長く、指固定片３０は、端部を載置部１０に載せた手の指の先端に向かって折り曲げることにより指の位置を固定する。さらに具体的には、各指固定片３０の長さは、曲げた際に、大人の手の指の第１関節を覆う程度の長さであることが好ましい。各指固定片の寸法は、図１に例示する親指を固定する指固定片３０の長さＬａは、約５ｃｍ、人差し指を固定する指固定片３０の長さＬｂは、約１１ｃｍ、中指を固定する指固定片３０の長さＬｃは、約１２ｃｍ、薬指を固定する指固定片３０の長さＬｄは、約１０.５ｃｍ、小指を固定する指固定片３０の長さＬeは、約８ｃｍである。また、指固定片３０の幅Ｗｂは、２．７ｃｍ以上３．２ｃｍ以下であり、具体的には、指固定片３０の幅Ｗｂは、３ｃｍである。
【００１９】
固定具１は、載置部１０、手首固定部２０、及び指固定片３０を曲げることにより、載置した手に適合する形状を維持するため、手で曲げられる程度の硬さを実現する厚さであること要する。具体的には載置部１０、手首固定部２０、及び指固定片３０の厚さは、１．５ｍｍ以上２．５ｍｍ以下であり、より具体的には、載置部１０、手首固定部２０、及び指固定片３０の厚さは、２ｍｍである。
【００２０】
(開創片)
開創片４０は、載置部１０から伸長した、切開部位を開いた状態に保持する２本の棒状の開創器である。具体的には、開創片４０は、載置部１０の外縁から伸長しており、開創片４０は、載置部１０と手首固定部２０との境界周辺から伸長し、開創片４０の一方は、親指に対応する指固定片３０側に、他方は、小指に対応する指固定片３０側から伸長している。開創片４０は、載置部１０及び指固定片３０を囲むように湾曲し、２本の開創片４０は、略左右対称の形状である。開創片４０の形成位置及び形状により、手のひらにおいて縦に切開された傷を横に開く張力がかかりやすく、効率的に傷を開いた状態に保持することを可能にする。
また、開創片４０は、先端が載置部１０に載置された手の手首から中指の先端まで届く程度の長さである。
【００２１】
図３に例示するように、開創片４０は、捻じることで方向を変えられる。例えば、中指方向へ開創片４０を曲げようとする場合、図３（ａ）のように開創片４０が板状で、載置部１０に固定されている固定部位が大きい場合に比べ、図３（ｂ）のように開創片４０が棒状であり、固定部位がより小さい方が捻じりやすい。つまり、開創片４０は、棒状であるため、開創片４０の角度を手首から中指の方向まで容易に変えることができる。
【００２２】
また、図４（ａ）及び（ｂ）に例示するように、開創片４０の付け根部分は、指固定片３０の厚さよりも厚い。具体的には、開創片４０の厚さは、先端４２を除き、３ｍｍ以上５ｍｍ以下であり、より具体的には、図４（ｂ）において、開創片４０の厚さＤａは、４ｍｍである。この厚さにより、開創片４０は、様々な角度の曲げに耐え得る強度を備えることができる。また、開創片の幅Ｗｃは、１ｃｍである。
【００２３】
さらに、開創片４０の先端４２は、切開した傷に入り込める厚さである必要があり、開創片４０の先端４２以外の厚さよりも薄い。具体的には、図４（ｂ）に例示する、開創片４０の先端４２の厚さＤｂは、１．５ｍｍ以上２．５ｍｍ以下であり、具体的には、開創片４０の先端４２の厚さＤｂは、２ｍｍである。開創片４０の先端４２とは、開創片４０の１／３程度を示し、具体的には、開創片４０の先端の長さＬｆは、８ｃｍである。
【００２４】
固定具１には表裏があり、一方の面は、１．５ｍｍ以上の凹凸を有し、他方の面は、０．５ｍｍ以下の凹凸を有する。固定具１の表面、つまり、１．５ｍｍ以上の凹凸を有する面に、手のひらは載置される。固定具１の裏面は、処置台等に固定具１を載置する際に、安定して固定具１を載置できる程度の凹凸でなければならない。より好適には、固定具１の裏面は、平滑であることが好ましい。手を載せる面が決まっているため、手首固定部２０、指固定片３０、及び開創片４０を固定具１の裏面側へと曲げることはない。したがって、手首固定部２０、指固定片３０、及び開創片４０を曲げる方向が決まっているため、固定具１を両面使用する場合よりも手首固定部２０、指固定片３０、及び開創片４０が折れるリスクが低減される。
【００２５】
以上説明したように、固定具１は開創片４０を備えるため、執刀医１人でも術野を確保しつつ手術を行うことができる。また、固定具１は、錫の抗菌・滅菌作用により衛生的であり、さらに、錫は金属アレルギーを引き起こしにくいため、固定具１は、肌に触れても他の金属よりも安全である。そして、固定具１は、片面使用であるため、開創片４０を裏面側に向けて曲げる必要がなく、両面使用の固定具に比べ、耐久性が高くなる。
【００２６】
(変形例)
上記実施形態では、指固定片３０が人の手の指に対応した数及び長さであるが、これに限定されず、例えば、図５に例示するように、指固定片３０が３つであってもよく、具体的には、指固定片３０は、親指、中指、及び小指を固定してもよい。そして、手首固定部２０は、載置部１０から左右一方のみに伸張した帯状であってもよく、載置部１０から右、又左に伸びた先端を手首側に曲げ、手首固定部２０を手首に巻き付けて手首を固定してもよい。
以上、本発明に係る実施形態について説明したが、これらに限定されるものではなく、発明の趣旨を逸脱しない範囲内において、種々の変更、追加等が可能である。
【符号の説明】
【００２７】
１        固定具
１０      載置部
２０      手首固定部
３０      指固定片
４０      開創片
４２      先端
【図１】
2019111041.tif 000003
【図２】
2019111041.tif 000004
【図３】
2019111041.tif 000005
【図４】
2019111041.tif 000006
【図５】
2019111041.tif 000007